(57)【要約】【課題】透明部分に識別コードを付加する場合において、識別コードの読取精度を確保しつつ、識別コードのレイアウトの柔軟性の向上及び工程の簡素化を図る。【解決手段】一実施形態のラベル発行装置５は、ラベルＬの透明部分にバーコードを印刷するラベル発行部３０と、バーコードの印刷位置及び印刷パターンを含む印刷情報を取得する取得部７２と、印刷情報に基づいて、ラベル発行部３０の印刷動作を制御する印刷制御部７３と、を備え、印刷制御部７３は、印刷情報に基づいて、透明部分におけるバーコードを含む印刷領域Ａを決定し、印刷領域Ａのうちバーコードが印刷されるバーコード領域Ａ１が第１の色で表されると共に、印刷領域Ａのうちバーコード領域Ａ１を除いた非バーコード領域Ａ２が第１の色とは異なる第２の色で表されるように、印刷動作を制御する。【選択図】図３
2018103489.tif 000002
【特許請求の範囲】
【請求項１】
透明部分を有するラベル又は包装材に商品を識別するための識別コードを印刷する識別コード印刷装置であって、
前記透明部分に前記識別コードを印刷する印刷部と、
前記識別コードの印刷位置及び印刷パターンを含む印刷情報を取得する取得部と、
前記印刷情報に基づいて、前記印刷部の印刷動作を制御する制御部と、
を備え、
前記制御部は、前記印刷情報に基づいて、前記透明部分における前記識別コードを含む印刷領域を決定し、前記印刷領域のうち前記識別コードが印刷される第１の領域が第１の色で表されると共に、前記印刷領域のうち前記第１の領域を除いた第２の領域が前記第１の色とは異なる第２の色で表されるように、前記印刷動作を制御する、
識別コード印刷装置。
【請求項２】
前記透明部分は、温度に応じて少なくとも前記第１の色及び前記第２の色に発色可能な発色層を有し、
前記印刷部は、前記透明部分を加熱するサーマルヘッドを有し、
前記制御部は、前記第１の領域が前記第１の色に対応する第１の温度で加熱され、前記第２の領域が前記第２の色に対応する第２の温度で加熱されるように、前記サーマルヘッドの動作を制御する、
請求項１に記載の識別コード印刷装置。
【請求項３】
前記印刷部は、少なくとも前記第１の色及び前記第２の色を表現可能なインクを前記透明部分に噴きつけるインクジェット方式の印刷機構を有する、
請求項１に記載の識別コード印刷装置。
【請求項４】
前記第１の色が黒色であり、前記第２の色が黄色である、
請求項１〜３のいずれか一項に記載の識別コード印刷装置。
【請求項５】
透明部分を有するラベル又は包装材に商品を識別するための識別コードを印刷する識別コード印刷方法であって、
前記識別コードの印刷位置及び印刷パターンを含む印刷情報を取得するステップと、
前記印刷情報に含まれる前記印刷位置に基づいて、前記透明部分における前記識別コードを含む印刷領域を決定するステップと、
前記印刷情報に含まれる前記印刷パターンに基づいて、前記印刷領域のうち前記識別コードが印刷される第１の領域が第１の色で表されると共に、前記印刷領域のうち前記第１の領域を除いた第２の領域が前記第１の色とは異なる第２の色で表されるように、前記印刷領域に対する印刷を実行するステップと、
を含む、識別コード印刷方法。
【請求項６】
商品を識別するための識別コードが印刷された透明部分を含むラベルであって、
前記透明部分における前記識別コードを含む印刷領域のうち前記識別コードが印刷された第１の領域の色が黒色であり、
前記印刷領域のうち前記第１の領域を除いた第２の領域の色が黄色又は赤色である、
ラベル。
【請求項７】
商品を識別するための識別コードが印刷された透明部分を含む包装材であって、
前記透明部分における前記識別コードを含む印刷領域のうち前記識別コードが印刷された第１の領域の色が黒色であり、
前記印刷領域のうち前記第１の領域を除いた第２の領域の色が黄色又は赤色である、
包装材。
【発明の詳細な説明】
【技術分野】
【０００１】
本発明は、識別コード印刷装置、識別コード印刷方法、ラベル、及び包装材に関する。
【背景技術】
【０００２】
従来、スーパーマーケット等の店舗において、食品等の商品を透明な包装材で包装し、包装材に貼付されるラベル等に、商品名、値段、及び加工日時等の商品情報、並びに商品を識別するためのバーコード等を印字することが一般的に行われている。このような場合において、ラベルによって内容物である食品が隠されてしまい、消費者が内容物を視認し難くなることを防止するために、透明なラベルが用いられることがある。
【０００３】
透明なラベルを用いる場合、内容物の表面の色によっては、ラベルに印字されたバーコードの読取精度が低下するおそれがある。例えば、内容物の表面の色及びバーコードの色が同色又は類似色である場合、スキャナ等の読取装置によってバーコードをうまく読み取れない状況が生じ得る。これは、透明な包装材に直接バーコードを印字する場合も同様である。
【０００４】
そこで、例えば特許文献１は、商品を包装するための透明部材からなる帯シートに不透明なラベル用紙を付着させ、当該ラベル用紙上にバーコードを印字する手法を開示している。また、上記手法以外にも、ラベルの予め定められた位置にバーコードを印字するための不透明領域（例えば白塗りされた領域）を事前印刷によって形成し、当該不透明領域にバーコードを印字するといったことも従来行われている。
【先行技術文献】
【特許文献】
【０００５】
【特許文献１】特許第４６３５５９６号公報
【発明の概要】
【発明が解決しようとする課題】
【０００６】
しかしながら、特許文献１に開示された手法では、帯シートに付着するための不透明なラベル用紙を予め用意しておく必要がある。また、ラベル用紙を付着する工程及びバーコードを印刷（印字）する工程の２つの工程が必要となってしまう。一方、不透明領域が事前印刷によって形成されたラベルを用いる場合には、バーコードを印字可能な領域が事前印刷により設定された不透明領域に制限されるため、バーコードのレイアウトを自由に設計できないといった問題が生じる。
【０００７】
そこで、本発明は、透明部分に識別コードを付加する場合において、識別コードの読取精度を確保しつつ、識別コードのレイアウトの柔軟性の向上及び工程の簡素化を図ることができる識別コード印刷装置及び識別コード印刷方法、並びにラベル及び包装材を提供することを目的とする。
【課題を解決するための手段】
【０００８】
本発明に係る識別コード印刷装置は、透明部分を有するラベル又は包装材に商品を識別するための識別コードを印刷する識別コード印刷装置であって、透明部分に識別コードを印刷する印刷部と、識別コードの印刷位置及び印刷パターンを含む印刷情報を取得する取得部と、印刷情報に基づいて、印刷部の印刷動作を制御する制御部と、を備え、制御部は、印刷情報に基づいて、透明部分における識別コードを含む印刷領域を決定し、印刷領域のうち識別コードが印刷される第１の領域が第１の色で表されると共に、印刷領域のうち第１の領域を除いた第２の領域が第１の色とは異なる第２の色で表されるように、印刷動作を制御する。
【０００９】
この識別コード印刷装置は、取得された印刷情報に基づいて、ラベル又は包装材の透明部分における印刷領域を決定する。これにより、識別コードを含む印刷領域の位置を予め定められた固定的な位置に限定することなく、識別コードのレイアウトを自由に設計することが可能となる。さらに、この識別コード印刷装置は、識別コードを含んだ印刷領域において、識別コードが印刷される第１の領域とそれ以外の第２の領域とを異なる色（第１の色及び第２の色）で表す多色印刷を実行する。これにより、スキャナ等の読取装置において第１の色と第２の色との境界を識別コードの輪郭として認識することが可能となるため、透明部分に印刷される識別コードの読取精度を確保することができる。また、透明部分に識別コードを読取可能に印刷するための処理が、透明部分に対する１回の印刷（多色印刷）動作によって実現されるため、工程の簡素化を図ることもできる。
【００１０】
透明部分は、温度に応じて少なくとも第１の色及び第２の色に発色可能な発色層を有し、印刷部は、透明部分を加熱するサーマルヘッドを有し、制御部は、第１の領域が第１の色に対応する第１の温度で加熱され、第２の領域が第２の色に対応する第２の温度で加熱されるように、サーマルヘッドの動作を制御してもよい。これによれば、いわゆる感熱式の印刷を実行するための比較的簡易な構成により、上述の多色印刷を実行することができる。
【００１１】
印刷部は、少なくとも第１の色及び第２の色を表現可能なインクを透明部分に噴きつけるインクジェット方式の印刷機構を有してもよい。これによれば、透明部分が上述のような発色層を有さない場合であっても、上述の多色印刷を実行することができる。
【００１２】
第１の色が黒色であり、第２の色が黄色であってもよい。これによれば、識別コードを含む印刷領域を効果的に目立たせることができると共に、黒色と黄色とのコントラストによって識別コードの輪郭を際立たせることができる。その結果、識別コードの読取精度をより確実に確保することができる。
【００１３】
本発明に係る識別コード印刷方法は、透明部分を有するラベル又は包装材に商品を識別するための識別コードを印刷する識別コード印刷方法であって、識別コードの印刷位置及び印刷パターンを含む印刷情報を取得するステップと、印刷情報に含まれる印刷位置に基づいて、透明部分における識別コードを含む印刷領域を決定するステップと、印刷情報に含まれる印刷パターンに基づいて、印刷領域のうち識別コードが印刷される第１の領域が第１の色で表されると共に、印刷領域のうち第１の領域を除いた第２の領域が第１の色とは異なる第２の色で表されるように、印刷領域に対する印刷を実行するステップと、を含む。
【００１４】
この識別コード印刷方法は、取得された印刷情報に基づいて、ラベル又は包装材の透明部分における印刷領域を決定する。これにより、識別コードを含む印刷領域の位置を予め定められた固定的な位置に限定することなく、識別コードのレイアウトを自由に設計することが可能となる。さらに、この識別コード印刷方法は、識別コードを含んだ印刷領域において、識別コードが印刷される第１の領域とそれ以外の第２の領域とを異なる色（第１の色及び第２の色）で表す多色印刷を実行する。これにより、スキャナ等の読取装置において第１の色と第２の色との境界を識別コードの輪郭として認識することが可能となるため、透明部分に印刷される識別コードの読取精度を確保することができる。また、透明部分に識別コードを読取可能に印刷するための処理が、透明部分に対する１回の印刷（多色印刷）動作によって実現されるため、工程の簡素化を図ることもできる。
【００１５】
本発明に係るラベルは、商品を識別するための識別コードが印刷された透明部分を含むラベルであって、透明部分における識別コードを含む印刷領域のうち識別コードが印刷された第１の領域の色が黒色であり、印刷領域のうち第１の領域を除いた第２の領域の色が黄色又は赤色である。
【００１６】
本発明に係る包装材は、商品を識別するための識別コードが印刷された透明部分を含む包装材であって、透明部分における識別コードを含む印刷領域のうち識別コードが印刷された第１の領域の色が黒色であり、印刷領域のうち第１の領域を除いた第２の領域の色が黄色又は赤色である。
【００１７】
このラベル又は包装材では、識別コードを含んだ印刷領域において、識別コードが印刷される第１の領域とそれ以外の第２の領域とを異なる色で表す多色印刷が施されている。これにより、スキャナ等の読取装置において第１の領域の色（黒色）と第２の領域の色（黄色又は赤色）との境界を識別コードの輪郭として認識することが可能となるため、透明部分に印刷された識別コードの読取精度が確保されている。また、このラベル又は包装材は、例えば黒色と黄色（或いは赤色）とを選択的に発色できる多発色材料に対する感熱式印刷等によって、比較的容易に生産可能である。
【発明の効果】
【００１８】
本発明によれば、透明部分に識別コードを付加する場合において、識別コードの読取精度を確保しつつ、識別コードのレイアウトの柔軟性の向上及び工程の簡素化を図ることができる識別コード印刷装置及び識別コード印刷方法、並びにラベル及び包装材を提供することができる。
【図面の簡単な説明】
【００１９】
【図１】一実施形態に係るラベル発行装置を有する包装装置の斜視図である。
【図２】図１の包装装置の概略構成図である。
【図３】図１の包装装置の機能構成を示す制御ブロック図である。
【図４】ラベル発行部によって出力されるラベルの一例を示す図である。
【図５】ラベル発行装置の印刷動作を示すフローチャートである。
【発明を実施するための形態】
【００２０】
以下、図面を参照して一実施形態について説明する。図面の説明において、同一要素には同一符号を付し、重複する説明を省略する。
【００２１】
（１）全体構成
本実施形態では、識別コード印刷装置の一形態としてのラベル発行装置５を有する包装装置１について説明する。ラベル発行装置５は、透明部分を有するラベルＬに商品を識別するためのバーコード（識別コード）を印刷する。なお、本明細書において、「透明」とは、完全に透明な状態（すなわち、透過率が１００％である状態）だけでなく、ある程度透き通って見える半透明な状態も含む。
【００２２】
図１及び図２に示されるように、包装装置１は、トレー内に食品等の被包装物を収容した商品としての物品Ｍ（以後、単に「物品Ｍ」と称す。）を計量及び包装し、包装された物品Ｍに、商品名、加工日、消費期限日、及びバーコード等が印刷されたラベルＬを貼り付ける。包装装置１は、計量包装部１０と、ラベル発行部３０と、ラベル貼付部５０と、シール機構６０と、制御装置７０と、表示入力パネル８０と、を備える。ラベル発行装置５は、ラベル発行部３０（印刷部）と制御装置７０（取得部、制御部）とによって構成される。
【００２３】
計量包装部１０は、物品Ｍを計量及び包装する。計量包装部１０は、計量部１３と、搬送部２１と、包装部１５と、プッシャ２５とを有している。計量部１３は、計量部１３に載置された物品Ｍを計量する。計量部１３は、物品Ｍの計量値を制御装置７０に送信する。搬送部２１は、計量された物品Ｍを包装部１５まで搬送する。
【００２４】
包装部１５は、物品Ｍを包装する。包装部１５は、物品Ｍが載置されたリフト２３を上昇させ、フィルムフィーダ（図示せず）によってリフト２３上空に張設されたフィルムに押し付けることによって、物品Ｍの上面をフィルムで覆う。その後、折込板（図示せず）によってフィルムを物品Ｍの下面に折込むことによって物品Ｍを包装する。プッシャ２５は、包装部１５によって包装された物品Ｍをラベル貼付部５０によってラベルＬが貼り付けられる位置まで押し出す。
【００２５】
ラベル発行部３０は、包装された物品Ｍに貼付するためのラベルＬを発行する。ラベル発行部３０は、ラベルシートホルダ３１、搬送ローラ３３、印字ローラ３４、サーマルヘッド３５、カッター３７、及びラベル保持部４１を有している。
【００２６】
ラベルシートホルダ３１は、ロール状のラベルシートＬｓを回転可能に保持する。ラベルシートＬｓは、帯状で透明な材料（例えばフィルム等）からなり、一方の面が印字面となっており、他方の面が粘着面となっている。ラベルシートＬｓが透明な材料であることにより、物品ＭにラベルＬが貼付された状態において、ラベルＬによって物品Ｍが完全に隠されてしまうことがない。すなわち、ラベルＬによって外部からの物品Ｍの視認性が損なわれることを抑制することができる。
【００２７】
ラベルシートＬｓの印字面には、温度に応じて少なくとも２色以上に発色可能な感熱発色層が形成されている。本実施形態では一例として、感熱発色層は、所定の温度Ｔ１（第１の温度）で加熱されると黒色（第１の色）に発色し、温度Ｔ１よりも低い所定の温度Ｔ２（第２の温度）で加熱されると黄色（第２の色）に発色するように形成されている。このような感熱発色層は、例えば、印字面の表面に近い側に形成された第１層と第１層よりも粘着面側に形成された第２層とを有する２層構造により実現される。ここで、第１層は、温度Ｔ２で加熱されると反応して黄色に発色する層であり、第２層は、温度Ｔ１（＞Ｔ２）まで加熱されると反応して黒色に発色する層である。
【００２８】
ラベルシートＬｓの粘着面には、粘着性のある接着剤層が形成されている。ラベルシートＬｓの一例は、粘着面に台紙が付いておらず、１つの物品Ｍに対して発行されるラベルＬのサイズを自由に決めることができる、いわゆる台紙レスシートである。なお、ラベルシートＬｓは、台紙付きラベルシートであってもよいが、台紙レスシートである場合には、発行したいラベルＬのサイズが変更される度にラベルシートホルダ３１に保持されるラベルシートＬｓを交換するといった手間を省略することができる。
【００２９】
搬送ローラ３３は、ラベルシートＬｓを挟んで回転することにより、ラベルシートＬｓを搬送する搬送機構である。印字ローラ３４及びサーマルヘッド３５は、ラベルシートＬｓに印字する印字機構である。カッター３７は、印字ローラ３４とサーマルヘッド３５とにより印字されたラベルシートＬｓを所定の位置で切断し、印字された部分をラベルＬとして切り離す。ラベル保持部４１は、ラベル発行口３９の正面（下流側）に設けられている。ラベル保持部４１は、印字後に送り出されてくるラベルＬを、ラベル発行口３９からラベル発行部３０の外側に飛び出た状態で、ラベル貼付部５０によりラベルＬが吸着されるまで保持する。
【００３０】
ラベル貼付部５０は、ラベル発行部３０によって発行されたラベルＬを包装された物品Ｍに貼付する。ラベル貼付部５０は、吸着部５１と移動部５３とを有している。
【００３１】
吸着部５１は、ラベルＬを吸着するための吸着面を有し、当該吸着面に形成された孔から空気を吸引して吸着することにより、ラベルＬをラベル発行部３０から受け取る。吸着部５１は、吸着部５１における重心位置とラベルＬにおける重心位置とが一致するように、ラベルＬを吸着する。
【００３２】
移動部５３は、吸着部５１を移動させる移動機構であり、ラベル発行部３０からラベルＬを受け取る受取位置Ｐ１と、計量包装部１０によって包装された物品ＭにラベルＬを貼付する貼付位置Ｐ３との間を移動させる。移動部５３は、例えば、ステッピングモータ等の駆動部（図示せず）により駆動される。
【００３３】
シール機構６０は、包装部１５により折り込まれたフィルムを熱シールする。シール機構６０は、搬送ローラ及び加熱ローラを有し、プッシャ２５で押し出された物品Ｍを搬送ローラ及び加熱ローラによって搬送しつつヒートシールする。シール機構６０は、包装済みの物品Ｍを排出台６２に向かって排出する。
【００３４】
表示入力パネル８０は、制御装置７０と接続されている。作業者は、表示入力パネル８０を介して包装装置１の各種操作を行うことができる。
【００３５】
（２）制御装置の構成
制御装置７０は、包装装置１における各種動作を制御する部分であり、ＣＰＵ（Central  Processing  Unit）、ＲＯＭ（Read  Only  Memory）、ＲＡＭ（Random  Access  Memory）等で構成される。図３に示されるように、制御装置７０は、包装装置１における各種制御処理を実行する概念的な部分としての記憶部７１と、取得部７２と、印刷制御部７３（制御部）と、を有している。このような概念的な部分は、例えばＲＯＭに格納されているプログラムがＲＡＭ上にロードされてＣＰＵで実行されるソフトウェアとして構成され得る。なお、記憶部７１、取得部７２、及び印刷制御部７３は、電子回路等によるハードウェアとして構成されてもよい。
【００３６】
（２−１）記憶部
記憶部７１は、例えば、補助記憶装置（ハードディスク、光学ディスク、フラッシュメモリ及びＳＳＤ（solid  state  drive）等）である。記憶部７１には、商品毎の商品情報が記憶されている。商品情報としては、例えば、商品名、栄養成分（例えば１００ｇ当たりの熱量、並びに蛋白質、糖質、炭水化物、及びＮａ等の含有量等）、１００ｇ当たりの商品単価、及び原材料名等の情報が含まれ得る。記憶部７１に記憶されている商品情報は、取得部７２によって参照される。
【００３７】
（２−２）取得部
取得部７２は、ラベルＬに印刷（印字）するための情報を取得する。例えば、取得部７２は、表示入力パネル８０を介して作業者によって入力された商品を識別するための情報（例えば商品コード及び商品名等）を取得し、記憶部７１から当該商品に対応する商品情報を取得する。取得部７２は、表示入力パネル８０を介して作業者によって入力されたその他の情報（例えば消費期限日及び加工日等）についても取得する。また、取得部７２は、計量部１３によって計量された物品Ｍの計量値を取得する。取得部７２は、当該計量値と商品情報に含まれる１００ｇ当たりの商品単価とに基づいて、物品Ｍの商品価格を算出する。以上の処理により、物品Ｍに貼付するためのラベルＬに印刷されるべき各種情報が取得される。
【００３８】
取得部７２は、上述のように取得された各種情報に基づいて、商品を識別するためのバーコードを作成する。具体的には、取得部７２は、バーコードの印刷パターン（例えば、バーコードを構成する各バーの幅及び配置等を示す情報）を生成する。バーコードには、上述した各種情報の一部又は全部が埋め込まれる。
【００３９】
また、取得部７２は、上述した各種情報及び生成されたバーコード等の印刷対象となる要素の印刷レイアウト（ラベルＬにおける印刷位置）を決定する。例えば、取得部７２は、商品毎に予め定められた表示順序等に基づいて各種情報及びバーコードの配置を決定することにより、印刷レイアウトを決定する。
【００４０】
取得部７２によって取得された印刷レイアウトとバーコードの印刷パターンとを含む印刷情報は、印刷制御部７３に受け渡される。
【００４１】
（２−３）印刷制御部
印刷制御部７３は、取得部７２から受け取った印刷情報に基づいて、ラベル発行部３０によるラベルＬに対する印刷動作を制御する。図４は、ラベル発行部３０によって出力されるラベルＬの一例を示す。図４に示されるように、上述の印刷動作の制御によって、ラベルＬには、商品名ｍ１、栄養成分ｍ２、消費期限日ｍ３、加工日ｍ４、１００ｇ当たりの単価ｍ５、計量値ｍ６、商品価格ｍ７、バーコードｍ８、及び原材料名ｍ９が印刷される。
【００４２】
上述の通り、ラベルＬの元になるラベルシートＬｓは、透明な材料から形成されている。このため、仮にバーコードｍ８をラベルシートＬｓ上に単純に印刷しただけでは、物品Ｍの内容物の表面の色及びバーコードｍ８の色が同色又は類似色である場合、スキャナ等の読取装置によってバーコードをうまく読み取れない状況が生じ得る。例えば、バーコードｍ８の色が黒色であり、内容物がひじき等の黒色の食品である場合、バーコードｍ８と重なる位置に存在する内容物の表面の色（黒色）によって、バーコードｍ８を構成する各バーの境界を判別できず、各バーの幅を正しく認識できない状況が生じ得る。また、バーコードｍ８を読み取るためには、バーコードシンボルの左側及び右側に十分な大きさの余白が必要となるが、内容物の表面の色（黒色）のせいでこのような余白を確保できない状況も生じ得る。
【００４３】
そこで、図４に示されるように、印刷制御部７３は、印刷情報に含まれる印刷レイアウトに基づいて、バーコードｍ８及び上述の余白を含む印刷領域Ａを決定する。また、印刷制御部７３は、印刷情報に含まれる印刷パターンに基づいて、印刷領域Ａのうちバーコードｍ８（具体的にはバーコードのバー部分）が印刷されるバーコード領域Ａ１（第１の領域）が黒色で表されると共に、印刷領域Ａのうちバーコード領域Ａ１を除いた非バーコード領域Ａ２（第２の領域）が黄色で表されるように、印刷動作を制御する。
【００４４】
具体的には、印刷制御部７３は、バーコード領域Ａ１が温度Ｔ１で加熱され、非バーコード領域Ａ２が温度Ｔ２で加熱されるように、サーマルヘッド３５の動作を制御する。より具体的には、印刷制御部７３は、サーマルヘッド３５が有する各発熱素子に対する通電時間を制御することによって、各発熱素子の発熱温度を制御する。すなわち、印刷制御部７３は、バーコード領域Ａ１に対向する発熱素子による加熱温度が温度Ｔ１となり、非バーコード領域Ａ２に対向する発熱素子による加熱温度が温度Ｔ２となるように、各発熱素子の発熱温度を制御する。その結果、バーコード領域Ａ１は、温度Ｔ１での加熱によって黒色に発色し、非バーコード領域Ａ２は、温度Ｔ２での加熱によって黄色に発色する。これにより、スキャナ等の読取装置においてバーコード領域Ａ１と非バーコード領域Ａ２との境界を判別可能となり、バーコードｍ８の読取精度が確保される。
【００４５】
（３）包装装置の動作
次に、図５を参照して、本実施形態の包装装置１の動作について説明する。ここでは主に、本実施形態に係る識別コード印刷方法を実行するラベル発行装置５の動作について説明する。まず、作業者は、表示入力パネル８０に表示される操作画面等を介して、包装対象となる物品Ｍの商品情報の一部（ここでは、商品名、消費期限日、及び加工日）を入力又は選択する。
【００４６】
続いて、ステップＳ１において、取得部７２は、バーコードｍ８の印刷レイアウト及び印刷パターンを含む印刷情報を取得する。具体的には、取得部７２は、作業者によって入力又は選択された商品名ｍ１、消費期限日ｍ３、及び加工日ｍ４の情報を取得する。取得部７２は、取得された商品名ｍ１に基づいて、当該商品の商品情報（ここでは、栄養成分ｍ２、１００ｇ当たりの単価ｍ５、及び原材料名ｍ９）を記憶部７１から取得する。取得部７２は、物品Ｍの計量値ｍ６を計量部１３から取得し、計量値ｍ６と１００ｇ当たりの単価ｍ５とに基づいて、商品価格ｍ７を算出する。そして、取得部７２は、上述のように取得された各種情報の一部又は全部の情報が埋め込まれたバーコードｍ８の印刷パターンを生成する。また、取得部７２は、上述した各種情報及び生成されたバーコードｍ８の印刷レイアウトを決定する。これにより、バーコードｍ８の印刷レイアウト及び印刷パターンを含む印刷情報が取得される。
【００４７】
続いて、ステップＳ２において、印刷制御部７３は、取得部７２によって取得された印刷レイアウトに基づいて、バーコードｍ８を含む印刷領域Ａを決定する。ここで、印刷制御部７３は、バーコードｍ８だけでなく、バーコードｍ８をスキャナ等で読み取る際に必要となる領域（上述の余白の領域等）も含まれるように、印刷領域Ａを決定する。
【００４８】
続いて、ステップＳ３において、印刷制御部７３は、取得部７２によって取得された印刷パターンに基づいて、印刷領域Ａにおいて、バーコード領域Ａ１が黒色で表されると共に、非バーコード領域Ａ２が黄色で表されるように、印刷動作を制御する。具体的には、印刷制御部７３は、上述のようにサーマルヘッド３５の動作を制御することにより、上記印刷動作を実現する。
【００４９】
（４）特徴及び作用・効果
上記実施形態のラベル発行装置５では、印刷制御部７３が、取得部７２により取得された印刷情報に基づいて、ラベルＬの透明部分（本実施形態ではラベルＬの全面）における印刷領域Ａを決定する。これにより、バーコードｍ８を含む印刷領域Ａの位置を予め定められた固定的な位置に限定することなく、バーコードｍ８のレイアウトを自由に設計することが可能となる。その結果、上記実施形態のように、いわゆる台紙レスシートであるラベルシートＬｓを用いることが可能となる。
【００５０】
さらに、このラベル発行装置５は、印刷領域Ａにおいて、バーコードｍ８が印刷されるバーコード領域Ａ１とそれ以外の非バーコード領域Ａ２とを異なる色（黒色及び黄色）で表す多色印刷を実行する。これにより、スキャナ等の読取装置において黒色と黄色との境界（すなわち、バーコード領域Ａ１と非バーコード領域Ａ２との境界）をバーコードｍ８の輪郭として認識することが可能となるため、透明なラベルＬに印刷されるバーコードｍ８の読取精度を確保することができる。また、ラベルＬにバーコードｍ８を読取可能に印刷するための処理が、ラベルＬに対する１回の印刷（多色印刷）動作によって実現されるため、工程の簡素化を図ることもできる。
【００５１】
また、ラベルＬの透明部分（本実施形態ではラベルＬの全面）は、温度に応じて少なくとも黒色及び黄色に発色可能な感熱発色層を有している。ラベル発行部３０は、当該透明部分を加熱するサーマルヘッド３５を有する。印刷制御部７３は、バーコード領域Ａ１が黒色に対応する温度Ｔ１で加熱され、非バーコード領域Ａ２が黄色に対応する温度Ｔ２で加熱されるように、サーマルヘッド３５の動作を制御する。従って、いわゆる感熱式の印刷（サーマルプリント）を実行するための比較的簡易な構成により、上述の多色印刷を実行することができる。具体的には、本構成によれば、サーマルヘッド３５の制御によって、上記感熱発色層を有するラベルＬを黒色又は黄色に発色させるので、色毎に個別の印字機構を搭載した多色印字機構を備える必要がない。従って、印字機構を簡素化することができる。
【００５２】
また、バーコード領域Ａ１の色が黒色であり、非バーコード領域Ａ２の色が黄色であることにより、バーコードｍ８を含む印刷領域Ａを効果的に目立たせることができると共に、黒色と黄色とのコントラストによってバーコードｍ８の輪郭を際立たせることができる。その結果、バーコードｍ８の読取精度をより確実に確保することができる。
【００５３】
また、ラベル発行装置５によって出力されたラベルＬは、商品を識別するためのバーコードｍ８が印刷された透明部分を含むラベルである。このラベルＬは、透明部分におけるバーコードｍ８を含む印刷領域Ａのうちバーコードｍ８が印刷されたバーコード領域Ａ１の色が黒色であり、印刷領域Ａのうちバーコード領域Ａ１を除いた非バーコード領域Ａ２の色が黄色である。
【００５４】
このラベルＬでは、バーコードｍ８を含んだ印刷領域Ａにおいて、バーコード領域Ａ１とそれ以外の非バーコード領域Ａ２とを異なる色で表す多色印刷が施されている。これにより、スキャナ等の読取装置においてバーコード領域Ａ１の色（黒色）と非バーコード領域Ａ２の色（黄色）との境界をバーコードｍ８の輪郭として認識することが可能となるため、透明部分に印刷されたバーコードｍ８の読取精度が確保されている。また、このラベルＬは、例えば黒色と黄色とを選択的に発色できる多発色材料に対する感熱式印刷等によって、比較的容易に生産可能である。
【００５５】
（５）変形例
以上、一実施形態について説明したが、本発明は、上記実施形態に限られるものではなく、発明の趣旨を逸脱しない範囲で種々の変更が可能である。
【００５６】
例えば、上記実施形態では、温度に応じて黒色又は黄色に発色する感熱発色層を有するラベルシートＬｓを用いることで、インクリボンを使用することなくラベルシートＬｓを自己発色させる方式（いわゆるダイレクトサーマル方式）について説明した。ただし、サーマルヘッド３５を用いた印刷方式は、これに限られない。例えば、ラベル発行装置５は、ラベル発行部３０の代わりに、ラベルシートにインクリボンを熱転写させる方式（いわゆる熱転写方式）による印刷を実行する印刷機構を有してもよい。
【００５７】
また、ラベル発行装置５は、いわゆる感熱式の印刷（サーマルプリント）を行う印刷機構であるラベル発行部３０の代わりに、少なくとも２色を表現可能なインクをラベルＬの透明部分に噴きつけるインクジェット方式の印刷機構を有してもよい。このような印刷機構には、例えば、各種インクを貯蔵するインクタンク、及びインクを噴射するノズル等が含まれる。これによれば、上述のような感熱発色層を有さないラベルシートに対しても、上述の多色印刷を実行することができる。
【００５８】
また、上記実施形態では、物品Ｍに対して裏面全体が貼付されるラベルＬを形成するために裏面全体に粘着層が設けられたラベルシートＬｓを用いる場合について説明したが、ラベルシートＬｓ及びラベルＬの形態は上記例に限られない。例えば、ラベルシートＬｓの代わりに、裏面に粘着層が形成されていないラベルシートが用いられてもよい。この場合、例えば物品Ｍに対して帯掛けされる帯状ラベル（帯フィルム）を発行することが可能となる。
【００５９】
また、上記実施形態では、識別コード印刷装置の一形態として、包装装置１に含まれるラベル発行装置５について説明したが、識別コード印刷装置は、このようなラベル発行装置５以外の装置にも適用され得る。例えば、識別コード印刷装置は、上述の帯状ラベルを発行すると共に当該帯状ラベルを物品Ｍに対して自動で帯巻きする装置（帯掛け機）において、帯状ラベルに対して上述の印刷を実行する装置として構成されてもよい。
【００６０】
また、識別コード印刷装置は、包装された物品Ｍに貼付される透明なラベルＬにバーコードを印刷する装置ではなく、食品等の被包装物を包装するための透明な包装材にバーコードを印刷する装置として構成されてもよい。例えば、識別コード印刷装置は、惣菜等の食品を収容する箱状のトレーの上端（開口端）を塞ぐようにトレーの上端に接着される矩形状の包装フィルム等にバーコードを直接印刷する装置として構成されてもよい。なお、このような装置によって印刷された後の包装材は、上述したラベル発行装置５によって出力されたラベルＬと同様の特徴及び作用・効果を有する。
【００６１】
また、バーコード領域Ａ１の色及び非バーコード領域Ａ２の色の組み合わせは、スキャナ等の読取装置でバーコードｍ８を読み取り可能な色の組み合わせであればよく、黒色及び黄色に限られない。例えば、非バーコード領域Ａ２の色は、赤色等の黄色以外の色であってもよい。
【００６２】
また、ラベルシートＬｓ（ラベルＬ）は、透明でない部分を含んでいてもよく、少なくともバーコードが印刷される印刷領域Ａを含む領域（透明部分）を含んでいればよい。
【００６３】
また、上記実施形態では、識別コードの一形態としてバーコードを例に挙げて説明したが、識別コードは、例えばＱＲコード（登録商標）等の２次元コードであってもよい。
【００６４】
以上説明した種々の実施形態及び変形例は、本発明の趣旨を逸脱しない範囲で組み合わせられてもよい。
【符号の説明】
【００６５】
１…包装装置、５…ラベル発行装置（識別コード印刷装置）、１０…計量包装部、３０…ラベル発行部（印刷部）、３５…サーマルヘッド、５０…ラベル貼付部、７０…制御装置、７１…記憶部、７２…取得部、７３…印刷制御部（制御部）、８０…表示入力パネル、Ａ…印刷領域、Ａ１…バーコード領域（第１の領域）、Ａ２…非バーコード領域（第２の領域）、Ｌ…ラベル、Ｍ…物品。
【図１】
2018103489.tif 000003
【図２】
2018103489.tif 000004
【図３】
2018103489.tif 000005
【図４】
2018103489.tif 000006
【図５】
2018103489.tif 000007